(57)【特許請求の範囲】
【請求項１】
シャフトの外周に取り付けられた円筒状のマグネットをハウジングの内周に取り付けられた円筒状の磁性体内へ挿入した状態で、前記マグネットの外周と前記磁性体の内周とが所定のギャップで対向するように前記シャフトの両端部を前記ハウジングで回転可能に支持したトルクリミッタにおいて、
前記ハウジングを軸方向の途中で底部と筒部とを有するハウジング本体およびキャップに分割するとともに、前記ハウジング本体の筒部の長さと前記キャップの筒部の長さとの合計を、前記磁性体の長さよりも短くし、前記磁性体を前記ハウジング本体の筒部内および前記キャップの筒部内へ圧入したときに前記磁性体の外周の一部が前記ハウジング本体の筒部と前記キャップの筒部との間から露出する、
ことを特徴とするトルクリミッタ。
【発明の詳細な説明】
【０００１】
【発明の属する技術分野】
この発明は、常に一定のトルクを伝達し、所定値以上の負荷がかかると、マグネットと磁性体とがスリップして回転力を伝達しなくなるトルクリミッタに関するものである。
【０００２】
【従来の技術】
プリンタなどの給紙機構は、紙を１枚ずつ送り出すため、第１回転軸で紙送り出し方向へ回転させられるゴム製の第１ローラと、第２回転軸で紙戻し方向へ回転させられるゴム製の第２ローラとを軸方向へ外周を接触させて配設し、第２回転軸と第２ローラとの間にトルクリミッタを配設した構成とされている。
なお、第１および第２回転軸は、同一方向へ回転する。
【０００３】
このように構成した給紙機構で、１枚の紙が第１ローラと第２ローラとの間に入ったときは、第１ローラと紙との間の摩擦力がトルクリミッタの設定トルクよりも大きいので、第２ローラが第１ローラと反対方向へ回転することにより、紙が送り出される。
しかし、２枚の紙が第１ローラと第２ローラとの間に入ったときは、紙と紙との摩擦力がトルクリミッタの設定トルクよりも小さいので、第１ローラが紙送り出し方向へ回転して一方の紙を送り出し、第２ローラが紙戻し方向へ回転して他方の紙を戻すことにより、紙を１枚ずつ送り出している。
【０００４】
図７は上記した従来のトルクリミッタのシャフトを除いて上側半分を断面とした正面図である。
図７において、１は合成樹脂で円筒状に成形されたシャフトを示し、後述するマグネット７の内径よりも僅かに小さな外径で、マグネット７内へ挿入される太径部２の両側に、後述するハウジング９の挿通孔１２，１５へ挿通される細径部３，４が連なっている。
そして、ハウジング９から突出する細径部４にピンなどが係合する係合部５が設けられ、太径部２と細径部４との境界部分の外周にマグネット７の外径よりも小径なフランジ６が設けられている。
【０００５】
７は円筒状のマグネットを示し、軸方向の長さ（以下、単に長さという。）が太径部２の長さと略同一で、内径が太径部２の外径よりも僅かに大きくされている。
このマグネット７は、接着剤で太径部２の外周に固定されている。
８は円筒形のヒス材（強磁性体を含む磁性体）を示し、長さが太径部２の長さと略同一か太径部２の長さよりも長く、マグネット７の外周と所定のギャップ、例えば０．１ｍｍ位で内周が対向する内径とされている。
【０００６】
９は合成樹脂で成形されたハウジングを示し、細径部３が挿通される円形の挿通孔１２が中心に設けられ、太径部２およびマグネット７が後述するワッシャ１６を介して当接する底部１１の外周に、円形の筒部１３が設けられたハウジング本体１０と、細径部４が挿通される円形の挿通孔１５が中心に設けられ、フランジ６が当接する状態で開放端を閉塞するようにハウジング本体１０に接着剤で固定される円形のキャップ１４とで構成されている。
なお、ハウジング本体１０はヒス材８を所定の力で圧入できる内径とされ、ハウジング９の中心部分における軸方向の内法は、太径部２の細径部３側の端からフランジ６の細径部４側までの長さと略同一にされている。
【０００７】
１６はワッシャを示し、合成樹脂製のシート状で、太径部２およびマグネット７とハウジング本体１０との間に介装され、マグネット７とハウジング本体１０と間の摩擦係数を所定の値に設定するものである。
【０００８】
次に、動作について説明する。
図７に示すトルクリミッタのシャフト１に図示を省略した回転軸を挿通し、この回転軸に設けたピンなどを係合部５に係合させてシャフト１を回転軸に固定した状態で、回転軸を所定方向へ回転させると、マグネット７とヒス材８との磁気的結合により、ハウジング９も回転軸と同じ方向へ回転する。
しかし、マグネット７とヒス材８とが一体となって回転するトルクよりも大きな負荷がハウジング９にかかると、マグネット７とヒス材８とがスリップして回転力を伝達しなくなるため、ハウジング９は回転軸と一緒に回転しなくなる。
【０００９】
【発明が解決しようとする課題】
従来のトルクリミッタは、シャフト１の周方向へマグネット７が回転しないように、シャフト１にマグネット７を接着剤で固定するとともに、ハウジング本体１０とキャップ１４とを接着剤で固定しているので、接着剤が必要になるとともに、組み立てた後に接着剤が固化するまで放置する必要があるため、効率よく組み立てることができなかった。
また、ハウジング本体１０とキャップ１４とを接着剤で固定するため、両挿通孔１２，１５の適正な位置関係（同軸度）が得にくいなどの不都合があった。
【００１０】
この発明は、上記したような不都合を解消するためになされたもので、シャフトをマグネット内へ挿入するだけでマグネットをシャフトの周方向へ回転しないように取り付けることができ、磁性体の外周面を利用してシャフトを支持する両挿通孔の同軸度を確保しつつハウジングを組み付けることのできるトルクリミッタを提供するものである。
【００１１】
【課題を解決するための手段】
この発明は、シャフトの外周に取り付けられた円筒状のマグネットをハウジングの内周に取り付けられた円筒状の磁性体内へ挿入した状態で、マグネットの外周と磁性体の内周とが所定のギャップで対向するようにシャフトの両端部をハウジングで回転可能に支持したトルクリミッタにおいて、ハウジングを軸方向の途中で底部と筒部とを有するハウジング本体およびキャップに分割するとともに、ハウジング本体の筒部の長さとキャップの筒部の長さとの合計を、磁性体の長さよりも短くし、磁性体をハウジング本体の筒部内およびキャップの筒部内へ圧入したときに磁性体の外周の一部がハウジング本体の筒部とキャップの筒部との間から露出するものである。
【００１２】
【発明の実施の形態】
以下、この発明の実施形態を図に基づいて説明する。
図１はこの発明の参考例であるトルクリミッタの分解斜視図、図２（ａ），（ｂ）は図１に示したハウジング本体の左側面図および図２（ａ）のＡ−Ａ線による断面図、図３（ａ），（ｂ）は図１に示したキャップの右側面図および図３（ａ）のＢ−Ｂ線による断面図、図４は図１に示した部品を組み立てて上側半分を断面とした正面図、図５は図４のＣ−Ｃ線に相当する断面図である。
【００１３】
これらの図において、２１は耐熱性を有する非晶性のポリカーボネートで円筒状に成形されたシャフトを示し、後述するマグネット２８の内径よりも僅かに小さな外径で、中心に対して対称な外側の部分に軸方向へ同一断面で切り欠いたＩカットと称される切欠部２３を有し、マグネット２８内へ挿入される太径部２２の両側に、後述するハウジング３１の挿通孔３４，４１へ挿通される細径部２４，２５が連なっている。
そして、ハウジング３１から突出する細径部２５にピンなどが係合する係合部２６が設けられ、太径部２２と細径部２５との境界部分の外周にマグネット２８の外径よりも小径なフランジ２７が設けられている。
【００１４】
２８は円筒状のマグネットを示し、長さが太径部２２の長さと略同一で、内径が太径部２２の外径よりも僅かに大きく、切欠部２３を形成するために太径部２２から切り取った肉に相当する肉を切欠部２３に対応する内面の軸方向へ肉盛りした肉盛り部２９が設けられている。
３０は円筒形のヒス材（強磁性体を含む磁性体）を示し、長さが太径部２２の細径部２４側の端からフランジ２７の細径部２５側までの長さよりも長く、マグネット２８の外周と所定のギャップ、例えば０．１ｍｍ位で内周が対向する内径とされている。
【００１５】
３１はハウジングを示し、非晶性のポリカーボネートと相性のよい高摺動グレードのポリオキシメチレンで成形され、細径部２４が挿通される円形の挿通孔３４が中心に設けられ、この挿通孔３４の中心を中心にした同一円周上に所定数の通気孔３５が設けられるとともに、内側にヒス材３０の端面が当接する突条３６が所定の高さで、半径方向に所定間隔で設けられ、太径部２２およびマグネット２８が後述するワッシャ４６を介して当接する底部（第１底部）３３の外周に、開放端側の内面が底部３３へ向かって縮閉する周回したテーパー面３８とされた円形の筒部（第１筒部）３７が設けられたハウジング本体３２と、細径部２５が挿通される円形の挿通孔４１が中心に設けられ、フランジ２７が当接した状態で、フランジ２７で塞がれないように挿通孔４１の中心を中心にした同一円周上に所定数の通気孔４２が設けられるとともに、内側にヒス材３０の端面が当接する突条４３が所定の高さで、半径方向に所定間隔で設けられた底部（第２底部）４０の外周に、開放端側の内面が底部４０へ向かって縮閉する周回したテーパー面４５とされた円形の筒部（第２筒部）４４が設けられたキャップ３９とで構成されている。
【００１６】
なお、ハウジング本体３２およびキャップ３９は、ヒス材３０を所定の力で圧入できる内径とされている。
そして、ハウジング本体３２の中心部分における軸方向の内法にキャップ３９の中心部分における軸方向の内法を加えた値は、太径部２２の細径部２４側の端からフランジ２７の細径部２５側までの長さと略同一にされている。
また、ハウジング本体３２の開放端から突条３６までの軸方向の寸法にキャップ３９の開放端から突条４３までの軸方向の寸法を加えた有効寸法は、ヒス材３０の長さと同じか僅かに短くされている。
【００１７】
４６はワッシャを示し、合成樹脂製のシートで、太径部２２およびマグネット２８とハウジング本体３２との間に介装され、マグネット２８とハウジング本体３２と間の摩擦係数を所定の値に設定するものである。
【００１８】
次に、組立の一例について説明する。
まず、軸を垂直方向へ向けて作業台に載置したヒス材３０の上に筒部３７を下側にしてハウジング本体３２を載置した後、ハウジング本体３２を押し下げてヒス材３０の端面が突条３６に当接する状態までヒス材３０を筒部３７内へ圧入させる。
そして、細径部２５側を下側にして軸を垂直方向へ向けた状態で、切欠部２３に肉盛り部２９を対応させてマグネット２８内へ太径部２２を挿入してフランジ２７にマグネット２８を載置した後、太径部２２およびマグネット２８の端面にワッシャ４６を載置する。
【００１９】
次に、ハウジング本体３２を上側にしてヒス材３０内へ下側からシャフト２１を上昇させてマグネット２８を挿入し、細径部２４を挿通孔３４へ挿通するとともに、太径部２２およびマグネット２８を、ワッシャ４６を介して底部３３に当接させる。
そして、上下を反転させ、軸を垂直方向へ向けて作業台に載置した後、筒部４４を下側にしたキャップ３９の挿通孔４１へ細径部２５を挿通してヒス材３０の上にキャップ３９を載置し、キャップ３９を押し下げてヒス材３０の端面が突条４３に当接する状態まで筒部４４内へヒス材３０を圧入することにより、図４に示す状態に組み立てることができる。
【００２０】
次に、動作は先に説明した従来例と同様になるので、動作の説明は省略し、通気孔３５，４２の機能について説明する。
このトルクリミッタは、ヒステリシスを利用しているため、ヒステリシス損失による発熱により、ハウジング３１内の温度が上昇する。
しかし、ハウジング３１の両底部３３，４０に設けた通気孔３５，４２から暖まった空気が流出したり、または、例えば通気孔３５から流入した空気が通気孔４２から流出することにより、熱を放出してハウジング３１内の温度上昇を抑える。
【００２１】
上述したように、この発明の参考例によれば、シャフト２１に切欠部２３を設け、マグネット２８に肉盛り部２９を設けたので、シャフト２１をマグネット２８内へ挿入するだけで、マグネット２８をシャフト２１の周方向へ回転しないように取り付けることができる。
したがって、接着剤を使用することなく回転しないようにマグネット２８をシャフト２１に作業性よく、かつ効率的に取り付けることができる。
【００２２】
また、底部３３と筒部３７とからなるハウジング本体３２と、底部４０と筒部４４とからなるキャップ３９とでハウジング３１を構成し、各筒部３７，４４内へヒス材３０を圧入する構成にしたので、精度のよいヒス材３０の外周面を利用して接着剤を使用することなくシャフト２１を支持する両挿通孔３４，４１の適正な位置関係（同軸度）を確保しつつハウジング３１を作業性よく、かつ効率的に組み付けることができる。
そして、各筒部３７，４４の開放端側の内面を各底部３３，４０へ向かって縮閉する周回したテーパー面３８，４５としたので、ヒス材３０を圧入するときにテーパー面３８，４５が案内面として機能するため、各筒部３７，４４を破損させることなくヒス材３０を容易に圧入することができる。
【００２３】
さらに、ハウジング３１の有効寸法をヒス材３０の長さと同じか僅かに短くしたので、ヒス材３０の長さに両底部３３，４０の肉厚を加えた値がハウジング３１の長さとなるため、ハウジング３１の長さ寸法を正確に出すことが容易になる。
また、シャフト２１を非晶性のポリカーボネートで成形するとともに、ハウジング本体３２およびキャップ３９を非晶性のポリカーボネートと相性のよい高摺動グレードのポリオキシメチレンで成形したので、摩擦係数を低下させて安定した摺動特性を得ることができる。
【００２４】
さらに、ハウジング３１の両底部３３，４０に通気孔３５，４２を設けたので、この通気孔３５，４２からハウジング３１内の暖まった空気が流出したり、または、例えば通気孔３５から流入した空気が通気孔４２から流出することにより、熱を放出してハウジング３１内の温度上昇を抑えることができるため、温度上昇によるトルク低下を防いでトルクを安定させることができる。
【００２５】
図６はこの発明の一実施形態であるトルクリミッタの上側半分を断面とした正面図であり、図１〜図５と同一または相当部分に同一符号を付して説明を省略する。
この一実施形態が参考例と異なるのは、ハウジング本体３２の開放端から突条３６までの軸方向の寸法にキャップ３９の開放端から突条４３までの軸方向の寸法を加えた有効寸法がヒス材３０の長さよりも短く、組み立てた状態でハウジング本体３２とキャップ３９と間に間隙ができてヒス材３０が露出する点である。
なお、組立および動作は第１実施形態と同様となるので、組立および動作の説明は省略する。
【００２６】
この一実施形態においても参考例と同様な効果を得ることができるとともに、各筒部３７，４４の長さを短くして積極的にヒス材３０の外周を露出させたので、ヒス材３０からもハウジング３１内の熱を放出することができ、ハウジング３１内の温度上昇をさらに抑えることができるため、温度上昇によるトルク低下を防いでトルクをさらに安定させることができる。
【００２７】
上記した実施形態において、係合手段を切欠部２３と肉盛り部２９とで構成したが、シャフト２１をマグネット２８内へ挿入可能で、マグネット２８がシャフト２１の周方向へ回転不可能な関係であれば、例えばＤカット、溝と突条または突起との組合せ、または多角形などの係合手段であってもよい。
また、突条３６，４３を設けてヒス材３０の端面で通気孔３５，４２を塞がないようにしたが、ヒス材３０の端面で通気孔３５，４２を塞がなければ、突条３６，４３を設けなくてもよい。
【００２８】
【発明の効果】
以上のように、この発明によれば、ハウジングを軸方向の途中で底部と筒部とを有するハウジング本体およびキャップに分割するとともに、ハウジング本体の筒部の長さとキャップの筒部の長さとの合計を、磁性体の長さよりも短くし、磁性体をハウジング本体の筒部内およびキャップの筒部内へ圧入したときに磁性体の外周の一部がハウジング本体の筒部とキャップの筒部との間から露出させたので、磁性体からもハウジング内の熱を放出することができ、ハウジング内の温度上昇を抑えることができるため、温度上昇によるトルク低下を防いでトルクを安定させることができる。
【図面の簡単な説明】
【図１】  この発明の参考例であるトルクリミッタの分解斜視図である。
【図２】（ａ）は図１に示したハウジング本体の左側面図、（ｂ）は図２（ａ）のＡ−Ａ線による断面図である。
【図３】（ａ）は図１に示したキャップの右側面図、（ｂ）は図３（ａ）のＢ−Ｂ線による断面図である。
【図４】図１に示した部品を組み立てて上側半分を断面とした正面図である。
【図５】図４のＣ−Ｃ線に相当する断面図である。
【図６】  この発明の一実施形態であるトルクリミッタの上側半分を断面とした正面図である。
【図７】従来のトルクリミッタのシャフトを除いて上側半分を断面とした正面図である。
【符号の説明】
２１        シャフト
２２        太径部
２３        切欠部
２４，２５  細径部
２６        係合部
２７        フランジ
２８        マグネット
２９        肉盛り部
３０        ヒス材
３１        ハウジング
３２        ハウジング本体
３３，４０  底部
３４，４１  挿通孔
３５，４２  通気孔
３６，４３  突条
３７，４４  筒部
３８，４５  テーパー面
３９        キャップ
４６        ワッシャ
【図１】
0004112678.tif 000002
【図２】
0004112678.tif 000003
【図３】
0004112678.tif 000004
【図４】
0004112678.tif 000005
【図５】
0004112678.tif 000006
【図６】
0004112678.tif 000007
【図７】
0004112678.tif 000008